(57)【要約】【課題】屋根材を固定するだけでなく、屋根上に設置する太陽電池モジュール等の任意の部材も固定することができ、部品点数を削減すると共に施工性を向上させることのできる屋根材レールを提供する。【解決手段】屋根材レール１に、固定部材８を所定位置に留付可能とし、屋根の流れ方向に延びるレール状の内側係合部１０を有した受けレール１６と、受けレール１６の左右外側に配置され建築構造部材としての野地板７１や垂木７２などに固定するための固定部１１を具備させる。【選択図】図３
2008007939.tif 000002
【特許請求の範囲】
【請求項１】
固定部材を所定位置に留付可能とし、屋根の流れ方向に延びるレール状の内側係合部を有した受けレールと、
該受けレールの左右外側に配置され建築構造部材に固定するための固定部と
を具備することを特徴とする屋根材レール。
【請求項２】
前記受けレールと前記固定部の間に配置されるヒレ部を更に具備することを特徴とする請求項１に記載の屋根材レール。
【請求項３】
前記受けレールの前記内側係合部は、ボルトの頭部をスライド支持可能に形成されていることを特徴とする請求項１又は請求項２に記載の屋根材レール。
【請求項４】
前記受けレールの前記内側係合部は、左右の前記ヒレ部の間を少なくとも覆う間カバーの被係合部と係合可能に形成されていることを特徴とする請求項２又は請求項３に記載の屋根材レール。
【請求項５】
前記ヒレ部又は前記受けレールには、平行に配置された前記屋根材レール同士の間を覆う中間カバーの被係合部と係合する外側係合部が形成されていることを特徴とする請求項２から請求項４までの何れか一つに記載の屋根材レール。
【請求項６】
左右両端に位置決め用の突起部を更に具備することを特徴とする請求項１から請求項５までの何れか一つに記載の屋根材レール。
【発明の詳細な説明】
【技術分野】
【０００１】
本発明は、施工性に優れ、更に既存屋根材以上の性能を持つ屋根材レールに関するものである。
【背景技術】
【０００２】
従来の屋根材レールは、図１７に示すように、互いに向き合うように左右に配置された係止部８５と、一対の係止部８５を連結する樋部８７とを備え紙面に対して垂直方向に連続する連結枠８０としたものが知られており、連結枠８０は、一枚の板金を折り曲げて成形されている。この連結枠８０は、一対の脚片８６を有した継手枠８１と、長手方向全長にわたって内外二重の弾性嵌合部を備えた一対の接合部８４を有した屋根材８３と共に、内部連結型の縦葺き屋根に用いるものである。具体的には、図示するように、連結枠８０を内層下地材８２を介して母屋又は梁に締結した後、屋根材８３の接合部８４を連結枠８０の係止部８５に圧嵌係合し、次いで隣接する接合部８４の間に継手枠８１を圧嵌係合することで屋根を葺き上げ、連結部の外側を平坦に覆う内部連結型の縦葺き屋根とすることができるものである（特許文献１）。
【０００３】
また、その他の屋根材レールとしては、図１８に示すように、上側に開口する開口部の両端を内側に屈曲させた被嵌合部９１を有し、断面が略矩形状で紙面に対して垂直方向に連続する樋状支持部材９０としたものが知られている。この樋状支持部材９０は、下地部９５に対して直接溶接にて固着を行うか、或いは樋状支持材９０の長手方向に適宜の間隔において固定部材９６を固着し、その固定部材９６を固着具９７にて下地部９５に固着することで下地部９５に固着を行うものである。この樋状支持部材９０を用いた縦葺き屋根の施工は、まず、下地部９５に樋状支持材９０を配置固定し、フラット状建築用板９２の嵌合側部９３を樋状支持材９０の被嵌合部９１に嵌合固着する。更に隣接するフラット状建築用板９２の間にキャップ材９４を嵌合することで、縦葺き屋根が構築される（特許文献２）。
【０００４】
【特許文献１】特開平８−６０８１３号公報
【特許文献２】特開平８−１３５１０１号公報
【発明の開示】
【発明が解決しようとする課題】
【０００５】
しかしながら、従来の屋根材レールでは、連結枠８０に樋部８７を設け、一個の部材からなる継手枠８１で連結部の外側を平坦に覆う内部連結型の縦葺き屋根とすることができるものの、屋根材としての機能のみであり、屋根材以上の機能の発展は不可能である。
【０００６】
更に、樋状支持材９０を下地部９５に直接溶接にて固着を行うか、或いは樋状支持材９０の長手方向に適宜の間隔において固定部材９６を固着し、その固定部材９６を固着具９７にて下地部９５に固着する方法であり、部材点数が増えると共に施工性の悪いものである。
【０００７】
そこで、本願発明は上記の実状に鑑み、屋根材を固定するだけでなく、屋根上に設置する太陽電池モジュール等の任意の部材も固定することができ、部品点数を削減すると共に施工性を向上させることのできる屋根材レールの提供を課題とするものである。
【課題を解決するための手段】
【０００８】
本発明に係る屋根材レールは、「固定部材を所定位置に留付可能とし、屋根の流れ方向に延びるレール状の内側係合部を有した受けレールと、該受けレールの左右外側に配置され建築構造部材に固定するための固定部とを具備する」ものであることを特徴とする。
【０００９】
本発明によると、固定部材を所定位置に留付け可能とし、屋根の流れ方向に延びるレール状の内側係合部を有した受けレールと、受けレールの左右外側に配置され建築構造部材に固定するための固定部とを具備するものである。これにより、レール状の内側係合部によって固定部材を所定位置で留付けることができるので、固定部材を介して屋根上に設置する任意の部材の固定が可能となる。更に受けレールの左右外側に建築構造部材（例えば、垂木や母屋となるＣチャンネルや野地板等）に固定する固定部を備えることにより、一部材で固定部材の固定機能と、受けレールを野地板等の建築構造部材へ固定することができ、部品点数を削減すると共に施工性を向上させることができる。
【００１０】
本発明に係る屋根材レールは、「前記受けレールと前記固定部の間に配置されるヒレ部を更に具備する」ものであることを特徴とする。ここで、「ヒレ部」とは、屋根材レールの底部から略垂直に立上ると共に長手方向に連続して形成される壁状のものであり、受けレールの高さと略同等の高さとすることが望ましい。
【００１１】
本発明によると、受けレールと固定部の間に配置されるヒレ部を更に具備するものである。これにより、受けレールと固定部の間にはヒレ部によって仕切りができるので、例えば、受けレール側より進入した雨水を、受けレールとヒレ部の間が樋の機能となり、屋根材レールの左右両側へ漏出するのを防止することができると共に、軒先まで雨水を流すことができる。
【００１２】
本発明に係る屋根材レールは、「前記受けレールの前記内側係合部は、ボルトの頭部をスライド支持可能に形成されている」ものであることを特徴とする。
【００１３】
本発明によると、屋根材レールにある受けレールの内側係合部は、ボルトの頭部をスライド支持可能に形成されているものである。これにより、受けレールの内側系合部を利用してボルトが任意の位置にスライドするので、固定部材を所定位置にボルトを利用してより強固に留付けることができると共に、屋根材レールに対して長手方向の任意の位置に固定部材を留付けることができる。
【００１４】
本発明に係る屋根材レールは、「前記受けレールの前記内側係合部は、左右の前記ヒレ部の間を少なくとも覆う間カバーの被係合部と係合可能に形成されている」ものであることを特徴とする。ここで、「間カバー」とは、上面が略フラットな平面とされ下面から下側に突出する被係合部を有したものである。
【００１５】
本発明によると、屋根材レールにある受けレールの内側係合部は、左右のヒレ部の間を少なくとも覆う間カバーの被係合部と係合可能に形成されているものである。これにより、受けレールの内側係合部は、固定部材を固定していない場所、または固定部材を固定しないときに、被係合部を具備する間カバーと係合し、間カバーは屋根材となり、屋根材レールの意匠性を高めることができる。
【００１６】
本発明に係る屋根材レールは、「前記ヒレ部には、平行に配置された前記屋根材レール同士の間を覆う中間カバーの被係合部と係合する外側係合部が形成されている」ものであることを特徴とする。
【００１７】
本発明によると、屋根材レールのヒレ部には、平行に配置された屋根材レール同士の間を覆う中間カバーの被係合部と係合する外側係合部が形成されているものである。これにより、屋根材レールのヒレ部に形成されている外側係合部は、被係合部を具備する中間カバーと係合することができ、屋根材レール同士を平行に配置した間を覆う屋根材として形成することができる。
【００１８】
本発明に係る屋根材レールは、「左右両端に位置決め用の突起部を更に具備する」ものであることを特徴とする。
【００１９】
本発明によると、屋根材レールは、左右両端に位置決め用の突起部を更に具備するものである。これにより、中間カバーの裏に設置するバックアップ材（例えば、断熱材や中間カバーのへこみ防止材）の端を屋根材レールの左右両端にある突起部に当てて容易に位置決めをすることができる。
【発明の効果】
【００２０】
上記のように、本発明によると、屋根材を固定するだけでなく、屋根上に設置する太陽電池モジュール等の任意の部材も固定することができ、部品点数を削減すると共に施工性を向上させることのできる屋根材レールを提供することができる。
【発明を実施するための最良の形態】
【００２１】
以下、本発明を実施するための最良の形態である屋根材レールの一例について、図１乃至図１３に基づき説明する。図１は、本発明の一実施形態である屋根材レールを用いて太陽光発電モジュールを固定した状態を概略で示す斜視図である。図２は、図１の屋根材レールの長手方向に対して直角方向に切断して示す縦断面図である。図３は、図２における屋根材レールの要部を拡大して示す図である。図４から図６は、図１における屋根材レールを用いた施工手順を概略で示す説明図である。図７は、屋根材レールに間カバーを使用した状態を概略で示す斜視図である。図８は、図７の屋根材レールの長手方向に対して直角方向に切断して示す縦断面図である。図９は、図８における屋根材レールの要部を拡大して示す図である。図１０及び図１１は、図７における間カバーを用いた施工手順を概略で示す説明図である。図１２は、屋根材レールの妻側の納まりを概略で示す縦断面図である。図１３は、屋根材レールの軒側の納まりを概略で示す断面図である。
【００２２】
本実施形態の屋根材レール１を用いた固定部材による屋根上に設置する任意の部材の固定構造は、図１から図３で示すように、建築構造部材としての野地板７１に所定の間隔で固定用ビス５を介して固定される屋根材レール１と、屋根材レール１同士の間を覆う中間カバー３と、屋根材レール１の上面に屋根材レール１の長手方向に所定の間隔で固定される固定部材８と、固定部材８に固定される任意の部材としての太陽光発電モジュール５０とから構成されている。なお、中間カバー３の裏にはバックアップ材４（例えば、断熱材や中間カバーのへこみ防止材）が備えられている。
【００２３】
本実施形態の屋根材レール１は、図１から図３で示すように、固定部材８を所定位置に留付け可能とし、屋根の流れ方向に延びるボルト６の頭部をスライド支持可能なレール状の内側係合部１０を有した受けレール１６と、受けレール１６の左右外側に配置され野地板７１（建築構造部材）に固定するための固定部１１と、受けレール１６と固定部１１との間に配置されるヒレ部としての外側係合部１２及び立上がり部１３と、左右両端に配置された位置決め用の突起部１４とを備えている。
【００２４】
更に詳しく説明すると、図３で示すように、屋根材レール１の断面形状は、中心にある四角形の上部両端より上方向に延びる辺があり、その後、内側に向かって折れる内側係合部１０を具備する。中心にある四角形より左右両側に形状は展開されるが、左右対称のため左側を説明し、右側は四角形の中心に対して線対称であるため、詳細な説明は省略する。四角形の底辺より左側に延びる底部があり、立上がり部が３ヵ所ある。四角形と同程度の幅の内側樋部１５を越えたところに１ヶ所目の立上がり部があり、内側係合部１０より少し低い位置まで上へ延び、右斜め下へ下がり、元の上に延びる辺に戻る外側係合部１２を具備する。内側樋部１５より幅の狭い外側樋部１７を形成するための外側係合部１２の３分の１程度の高さに延びる２ヵ所目の立上がり部１３を具備する。更に、底部の端部に立上がり部１３より更に低い位置決め用の突起部１４を具備する。立上がり部１３と位置決め用の突起部１４の間には、建築構造部材に固定するための固定部１１を具備する。なお、屋根材レール１の材質は、アルミの押出し材で、色は、施工時の指定色である。また、本例の外側係合部１２を備えた立上がり部と、その外側の立上がり部１３が、本発明のヒレ部に相当している。
【００２５】
次に屋根材レール１にボルト６を使用した状態について詳しく説明する。図２及び図３で示すように、屋根材レール１は、ボルト６により固定部材８を所定位置に留付け可能とし、受けレール１６の左右外側に配置された固定部１１を具備し、固定用ビス５によって建築構造部材（例えば、垂木７２や母屋となるＣチャンネルや野地板７１等）に固定することができる。ボルト６により固定部材８を利用して屋根上に設置する任意の部材（例えば、太陽光発電モジュール５０や屋上緑化ユニット等）を固定することができる。固定部材８を設置する際には、軒先側に雨が通り抜け易くするようにスペーサー７を設置している。更に固定部材８に貫通穴９を開けておくことにより、例えば、太陽光発電モジュール間の結線を可能とすることができる。
【００２６】
屋根材レール１における受けレール１６の内側係合部１０は、ボルト６の頭部をスライド支持可能に形成されている。これにより、受けレール１６の内側係合部１０を利用してボルト６が任意の位置にスライドするので、固定部材８を所定位置にボルト６を利用してより強固に留付けることができる。また、ボルト６のサイズは、Ｍ６〜Ｍ１２とし、使用条件に対して適宜変更することができる。
【００２７】
また、屋根材レール１同士の間を覆う中間カバー３は、野地板７１等の建築構造部材に直接雨などが当たるのを防止すると共に、その裏に、バックアップ材４（例えば、断熱材や中間カバーのへこみ防止材）が設けられており、施工時に中間カバー３の上に乗ったりしても中間カバー３がつぶれるのを防止したり、中間カバー３を介して熱が入ったり逃げたりするのを防止することができるようになっている。
【００２８】
なお、中間カバー３の材質は、アルミの押出し材か、ガルバリウム鋼板等の板金である。色は、施工時の指定色である。バックアップ材４の材質は、発泡スチロール、ポリエチレンフォーム等であり、断熱材や中間カバーのへこみ防止材として使用する。
【００２９】
続いて、本例における屋根材レール１を用いて固定部材８を使用した施工方法について図４から図６を基に説明する。まず、図４で示すように、屋根材レール１を固定する建築構造部材（例えば、垂木７２や母屋となるＣチャンネルや野地板７１等）の上を覆うように防水紙７３（例えば、アスファルトルーフィング）を配置し、その上から屋根材レール１を、留め付けようとする目的の所定位置に配置して、建築構造部材に固定部１１を利用して固定用ビス５にて固定する。次に、屋根材レール１にある受けレール１６の内側係合部１０にボルト６の頭部をスライド挿入する。
【００３０】
次に、図５で示すように、屋根材レール１の両端にある位置決め用の突起部１４を利用して、バックアップ材４を固定する。その後、平行に配置された屋根材レール１同士の間を覆う中間カバー３を中間カバー３の被係合部３１と屋根材レール１の外側係合部１２を係合させて固定する。その後、軒先側に雨が通り抜け易くするようにスペーサー７をボルト６に通して、固定部材８を設置固定する。
【００３１】
最後に、図６で示すように、固定部材８を利用して屋根上に設置する任意の部材（例えば、太陽光発電モジュール５０や屋上緑化ユニット等）を固定することで、太陽光発電モジュール５０などを屋根上に設置することができる。
【００３２】
一方、図７から図９で示すように、固定部材８を使用せずに、屋根材レール１を縦葺き屋根構造の一部として用いた場合は、屋根材レール１同士の間を覆う中間カバー３の間を、間カバー２で覆うようにしても良い。具体的には、受けレール１６にボルト６をスライド支持させる替わりに、受けレール１６の内側係合部１０に、間カバー２の被係合部２１を係合させて、間カバー２により左右の外側係合部１２の間を覆うようにするものである。
【００３３】
これにより、図９で示すように、受けレール１６に対して間カバー２を設置し、屋根材としての機能を持たせることができる。間カバー２は、中間カバー３と略フラットとなり、縦葺き屋根材となる。なお、間カバー２の材質は、アルミの押出し材であり、色は、施工時の指定色である。
【００３４】
更に、間カバー２と中間カバー３は、略フラットとなり、縦葺き屋根材としての意匠性を高めることができる。更に、屋根材としての、雨漏りを防ぐために、内側樋部１５が軒先の樋まで延びており雨水を軒樋４５まで流すことができる。仮に、外側係合部１２を雨水が乗り越えたとしても外側樋部１７によって防ぐことができる。
【００３５】
続いて、本例における屋根材レール１を用いた縦葺き屋根材の施工方法について図１０及び図１１を基に説明する。まず、図１０で示すように、屋根材レール１を固定する建築構造部材（例えば、垂木７２や母屋となるＣチャンネルや野地板７１等）の上を覆うように防水紙７３（例えば、アスファルトルーフィング）を配置し、その上から屋根材レール１を、留め付けようとする目的の所定位置に配置し、建築構造部材に固定部１１を利用して固定用ビス５にて固定する。次に、屋根材レール１の両端にある位置決め用の突起部１４を利用して、バックアップ材４を固定する。その後、平行に配置された屋根材レール１同士の間を覆う中間カバー３を中間カバー３の被係合部３１と屋根材レール１の外側係合部１２を係合させて固定する。
【００３６】
最後に、図１１で示すように、間カバー２の被係合部２１と屋根材レール１の内側係合部１０を係合すると、間カバー２と中間カバー３は、略フラットとなり、縦葺き屋根材として施工することができる。
【００３７】
図１２は、屋根材レール１の妻側の納まりの設置事例である。妻側中間カバー３２の固定は、屋根材レール１の外側係合部１２と妻側中間カバー３２の被係合部３１の係合と、妻側の固定用ビス７５によって固定することができる。なお、妻側中間カバー３２の被係合部３１の反対側には、妻側の水切り用の折り返し部３３が具備されている。
【００３８】
図１３は、屋根材レール１の軒側の納まりの設置事例である。スターターカバー材４１を設置することにより軒先の意匠性を高めることができる。スターターカバー材４１は、固定用ビス４４によって固定することができ、更に位置決め用突起部４２を具備しているので、屋根材レール１の軒側の端部位置を位置出しすることができる。よって、施工時間の短縮に繋げることができる。また、内側樋部１５、外側樋部１７を流れてきた雨水は、軒先まで流れ、スターターカバー材４１の樋部４６に開いている貫通穴（図示せず）を抜けて、軒樋４５へと流れる。なお、スターターカバー材４１の材質は、アルミの押出し材で、色は、施工時の指定色である。
【００３９】
このように、本実施形態の屋根材レール１は、受けレール１６の内側係合部１０を利用してボルト６が任意の位置にスライドするので、固定部材８（例えば、太陽電池モジュール５０や屋上緑化ユニットを支える部材）を支えようとしているもののサイズに合わせた所定位置に、ボルト６を利用してより強固に留付けることができる。
【００４０】
更に、受けレール１６の内側係合部１０を利用して、間カバー２の被係合部２１と屋根材レール１の内側係合部１０を係合することができ、平行に配置された屋根材レール１同士の間を覆う中間カバー３を中間カバー３の被係合部３１と屋根材レール１の外側係合部１２を係合させて固定させることで簡単に縦葺き屋根材として施工することができる。
【００４１】
また、屋根材レール１は、一部材で固定部１１と位置決め用突起部１４を具備することにより、屋根材レールの付属部品数を減らすと共に施工性の向上に繋げることができる。更に、内側樋部１５、外側樋部１７を具備することにより、雨漏りし難くすることができる。
【００４２】
以上、本発明について好適な実施形態を挙げて説明したが、本発明はこれらの実施形態に限定されるものではなく、以下に示すように、本発明の要旨を逸脱しない範囲において、種々の改良および設計の変更が可能である。
【００４３】
すなわち、本実施形態では間カバー２と中間カバー３は、略フラットとなり、略フラットな縦葺き屋根材としたが、これに限定するものではなく、図１４で示すような中間カバー３４としても良い。具体的には、図示するように、平行に配置された屋根材レール１同士の間を覆う中間カバー３４を、屋根材レール１の外側係合部１２と係合する左右の被係合部３５が中間カバー３４の中央よりも上側に上がったような形態、つまり、中間カバー３４の両端を残して中央が建築構造部材と略接するように下がった形態のものとしても良い。これにより、上記と同様の作用効果を奏することができると共に、中間カバー３４によってフラットの縦葺き屋根材ではなく、凹凸によって変化のある縦葺き屋根材とすることができる。
【００４４】
更に、本実施形態では内側係合部１０を有する受けレール１６の外側に外側係合部１２を具備し、受けレール１６と外側係合部１２の間に内側樋部１５を備えたものを示したが、これに限定するものではなく、図１５に示すような屋根材レール６０としても良い。具体的には、図示するように、ボルト６５をスライド支持する下部係合部６１と、中間カバー３の被係合部３１と係合固定する上部係合部６２とを受けレールに具備させると共に、さらに、受けレールの底部には内側樋部６３を具備させるようにしても良い。これにより、上記と同様の作用効果を奏することができると共に、内側樋部６３が軒先の樋まで延びているので、雨水を軒樋４５まで流すことができ屋根材として雨漏りを防ぐことができる。なお、仮に、上部係合部６２を雨水が乗り越えたとしても外側樋部６４によって防ぐことができる。
【００４５】
この屋根材レール６０の形状は、具体的には、Ｕ字の形状をした立上がり部があり、内側に斜め下へ下がり、元の上に延びる辺に戻る外側係合部１２と同じ機能を持った上部係合部６２がある。その下に中間カバー３の被係合部３１と係合固定した際に干渉しない位置にボルト６５の頭部をスライド支持可能に形成された下部係合部６１を具備している。さらに、屋根材レール６０には、その下にボルト６５が樋部６３に落ちることを防ぐための突起部６６があり、底部には樋部６３がある。受けレールの外側には、内側樋部６３より幅の狭い外側樋部６４を形成するための上部係合部６２の３分の１程度の高さに延びる立上がり部１３を具備する。更に、その外側には、底部の端部に立上がり部１３より更に低い位置決め用の突起部１４を具備する。立上がり部１３と位置決め用の突起部１４の間には、建築構造部材に固定するための固定部１１を具備する。なお、屋根材レール６０の材質は、アルミの押出し材で、色は、施工時の指定色である。
【００４６】
従って、この屋根材レール６０では、図１６で示すように、間カバー６７の被係合部６８と屋根材レール６０の下部係合部６１とを係合させることができ、平行に配置された屋根材レール６０同士の間を覆う中間カバー３の被係合部３１と屋根材レール６０の上部係合部６２とを係合固定させ、更に、その上から間カバー６７を被せ、その被係合部６８と受けレールの下部係合部６１とを係合させることで縦葺き屋根材として施工できる。なお、間カバー６７の材質は、アルミの押出し材である。色は、施工時の指定色である。
【図面の簡単な説明】
【００４７】
【図１】本発明の一実施形態である屋根材レールを用いて太陽光発電モジュールを固定した状態を概略で示す斜視図である。
【図２】図１の屋根材レールの長手方向に対して直角方向に切断して示す縦断面図である。
【図３】図２における屋根材レールの要部を拡大して示す図である。
【図４】図１における屋根材レールを用いた施工手順を概略で示す説明図である。
【図５】図４に続く施工手順を概略で示す説明図である。
【図６】図５に続く施工手順を概略で示す説明図である。
【図７】屋根材レールに間カバーを使用した状態を概略で示す斜視図である。
【図８】図７の屋根材レールの長手方向に対して直角方向に切断して示す縦断面図である。
【図９】図８における屋根材レールの要部を拡大して示す図である。
【図１０】図７における間カバーを用いた施工手順を概略で示す説明図である。
【図１１】図１０に続く施工手順を概略で示す説明図である。
【図１２】屋根材レールの妻側の納まりを概略で示す縦断面図である。
【図１３】屋根材レールの軒側の納まりを概略で示す断面図である。
【図１４】図２とは異なる形態の中間カバーを用いた一例を概略で示す縦断面図である。
【図１５】図１とは異なる形態の本発明に係る屋根材レールを用いて固定部材を固定した状態を概略で示す縦断面図である。
【図１６】図１５に示す屋根材レールに間カバーを使用した状態を概略で示す縦断面図である。
【図１７】従来の屋根材の一例を説明する断面図である。
【図１８】従来の屋根材の一例を説明する断面図である。
【符号の説明】
【００４８】
１  屋根材レール
２  間カバー
３  中間カバー
４  バックアップ材
５  固定用ビス
６  ボルト
７  スペーサー
８  固定部材
１０  内側係合部
１１  固定部
１２  外側係合部（ヒレ部）
１３  立上がり部（ヒレ部）
１４  位置決め用突起部
１５  内側樋部
１６  受けレール
１７  外側樋部
２１  被係合部
３１  被係合部
３２  妻側中間カバー
３４  中間カバー
３５  被係合部
４１  スターターカバー
４２  位置決め用突起部
４４  固定用ビス
４５  軒樋
４６  樋部
５０  太陽電池モジュール
６０  屋根材レール
６１  下部係合部
６２  上部係合部
６３  内側樋部
６４  外側樋部
６５  ボルト
６７  間カバー
６８  被係合部
７１  野地板
７２  建築構造部材
７３  防水紙
【図１】
2008007939.tif 000003
【図２】
2008007939.tif 000004
【図３】
2008007939.tif 000005
【図４】
2008007939.tif 000006
【図５】
2008007939.tif 000007
【図６】
2008007939.tif 000008
【図７】
2008007939.tif 000009
【図８】
2008007939.tif 000010
【図９】
2008007939.tif 000011
【図１０】
2008007939.tif 000012
【図１１】
2008007939.tif 000013
【図１２】
2008007939.tif 000014
【図１３】
2008007939.tif 000015
【図１４】
2008007939.tif 000016
【図１５】
2008007939.tif 000017
【図１６】
2008007939.tif 000018
【図１７】
2008007939.tif 000019
【図１８】
2008007939.tif 000020